(57)【要約】【課題】  別体の浮子を用意せずに支持脚に浮力を与えることができ、小さな力で支柱を簡単に起伏させ、プール不使用時には、運動用等のフロアとして使用することができる構成が簡易でコスト低減を図れるプール昇降床の支柱装置を提供する。【解決手段】  プール昇降床に起倒可能に取付けられ、プール昇降床を、使用時には倒し、不使用時には起こしてプール昇降床を上昇位置で支持する支柱装置を、内部に浮力を与える気体が封入された支柱と、該支柱の上端螺子部に螺合された支柱ホルダと、から構成し、該支柱ホルダは、上記上端螺子部に螺合される環部と、該環部に連設された平板部と、この平板部の上端部に固着された逆凹状の作動部と、この作動部の両側壁部に固着された支柱ハンドル係止部と、から構成し、上記支柱ホルダは、一端部がプール昇降床の下面に固定された支持板の自由端部に架設された支柱軸に上記平板部が挿通されて回転可能に軸支した。【選択図】図６
2009030297.tif 000002
【特許請求の範囲】
【請求項１】
プール昇降床に起倒可能に取付けられ、プール昇降床を、使用時には倒し、不使用時には起こしてプール昇降床を上昇位置で支持する支柱装置を、内部に浮力を与える気体が封入された支柱と、該支柱の上端螺子部に螺合された支柱ホルダと、から構成し、該支柱ホルダは、上記上端螺子部に螺合される環部と、該環部に連設された平板部と、この平板部の上端部に固着された逆凹状の作動部と、この作動部の両側壁部に固着された支柱ハンドル係止部と、から構成し、上記支柱ホルダは、一端部がプール昇降床の下面に固定された支持板の自由端部に架設された支柱軸に上記平板部が挿通されて回転可能に軸支されていることを特徴とするプール昇降床の支柱装置。
【発明の詳細な説明】
【技術分野】
【０００１】
この発明は、プール昇降床に折り畳み可能に取付けられる支柱装置に係り、特に、プール使用時にプール昇降床をプールに沈めるときには折り畳まれ、プール不使用時にプール昇降床を上昇させて、運動用等のフロアとして使用するときには起こしてプール昇降床を支持する支持装置に関する。
【背景技術】
【０００２】
プール不使用時にプールに蓋をして、運動用等のフロアとして使用するときに支持脚を取付けて蓋を支持することは、例えば、特許文献１に示すように、公知である。
【０００３】
【特許文献１】特開２００１−１７３２５２号公報
【発明の開示】
【発明が解決しようとする課題】
【０００４】
しかしながら、上記特許文献１に示す従来の浮子方式では、支持脚を起伏させる毎に、浮子を支持脚に取付けた場合の抵抗力が大きくなったり、浮子を取り付ける手段が必要となるため、構造が複雑化し、コスト高となる、という問題を有していた。
【０００５】
この発明は、かかる現状に鑑み創案されたものであって、その目的とするところは、支柱の起伏の際に、従来の方式のように、支柱とは別体の浮子を用いることなく浮力を与えることができ、小さな力で支柱を簡単に起伏させることができ、プール不使用時には、運動用等のフロアとして使用することができる構成が簡易でコスト低減を図ることができるプール昇降床の支柱装置を提供しようとするものである。
【課題を解決するための手段】
【０００６】
上記目的を達成するため、プール昇降床に起倒可能に取付けられ、プール昇降床を、使用時には倒し、不使用時には起こしてプール昇降床を上昇位置で支持する支柱装置を、内部に浮力を与える気体が封入された支柱と、該支柱の上端螺子部に螺合された支柱ホルダと、から構成し、該支柱ホルダは、上記上端螺子部に螺合される環部と、該環部に連設された平板部と、この平板部の上端部に固着された逆凹状の作動部と、この作動部の両側壁部に固着された支柱ハンドル係止部と、から構成し、上記支柱ホルダは、一端部がプール昇降床の下面に固定された支持板の自由端部に架設された支柱軸に上記平板部が挿通されて回転可能に軸支されていることを特徴とするものである。
【発明の効果】
【０００７】
それ故、この発明に係るプール昇降床の支柱装置にあっては、別途浮子を用意する必要がなく、取り扱いが非常に楽になる、という効果が得られる。勿論、浮力による操作力の軽減効果も十分得られ、更には、構造が簡易である為、廉価に提供することができる。
【発明を実施するための最良の形態】
【０００８】
以下、添付図面に示す発明の一実施形態例に基づき、この発明を詳細に説明する。
【０００９】
図１は、この発明の一実施形態例に係るプール昇降床の支柱装置の構成を示す平面図を、図２は同支柱装置の正面図を、図３は同支柱装置の右側面図を、図４は同支柱装置の底面図を夫々示している
【００１０】
この実施形態例に係るプール昇降床１の支柱装置２は、支柱３と、上記支柱３の上端螺子部３Ａの上端部に取付けられた支柱受座４と、上記上端螺子部３Ａに螺合された支柱ホルダ１０と、から構成されている。
【００１１】
この支柱ホルダ１０は、上記上端螺子部３Ａに螺合される環部１１と、該環部１１に連設された平板部１２と、この平板部１２の上端部に固着された逆凹状の作動部１３と、この作動部１３の両側壁部１３Ａ，１３Ａに固着された支柱ハンドル係止部１４，１４と、から構成されている。
【００１２】
そして、この支柱ホルダ１０は、一端部がプール昇降床１の下面に固定されている断面Ｉ型の支持枠５に固着されてなる支持板６，６の自由端部に架設された支柱軸７に、上記平板部１２が挿通されて回転可能に軸支されている。尚、上記支持板６，６の自由端部の上部は、図３に示すように、支柱ホルダ１０の回動の支障にならないように、丸く面取り８されている。
【００１３】
支柱３は、空気等の気体が必要量封入することができるように、例えば、複数室に画成されて構成されている。勿論、単室で形成してもよい。
【００１４】
このように、気体を封入することができるように構成することで、別途浮子を用意する必要がなく、取り扱いが非常に楽になる、という効果が得られる。勿論、浮力による操作力の軽減効果も十分得られる。
【００１５】
尚、上記支柱受座４を正逆方向に回転させることで、上記支柱３の上下移動量を調整し、支柱３のプール固定床９への着底を確実にすることができる。
【００１６】
図５は、この発明の他の実施形態例に係る支持装置２を示しており、該形態例では、支柱ホルダ１０の作動部１３の天井部１３Ｂの下面に螺子受１５を固定し、該螺子受１５に前記支柱３の上端螺子部３Ａを螺合させた他は、他の構成は前記実施形態例と同様であるので、図面には前記実施形態例と同一の符号を付して、その詳細な説明をここでは省略する。
【００１７】
次に、立てた状態の支柱３を、プール昇降床１の下面に沿って収納する場合には、図６に示すように、支柱ハンドル係止部１４に、操作ハンドル１５（図６参照）を嵌合係止し、支柱ホルダ１０を図６に示すように、反時計方向へと回動させると、上記支柱ホルダ１０は、支柱軸７を支点として反時計方向へと回動し、これに伴い、支柱ホルダ１０の環部１１も回動するので、該環部１１と螺合している支柱３も反時計方向へと回動し、該支柱３は、プール昇降床１の下面に沿って収納される。勿論、この状態を長期間、確実に保持したいのであれば、プール昇降床の下面に、特に図示はしないが、支柱３を抱持するか、係止するためのクリッパーを設けるのが望ましいが、支柱３の浮力だけでも、十分に上記状態を保持することができる。
【図面の簡単な説明】
【００１８】
【図１】この発明の一実施形態例に係るプール昇降床の支柱装置の構成を示す平面図である。
【図２】同支柱装置の正面図である。
【図３】同支柱装置の右側面図である。
【図４】同支柱装置の底面図である。
【図５】この発明の他の実施形態例に係る支持装置の構成を示す正面図である。
【図６】同支柱装置の作動例を示す説明図である。
【符号の説明】
【００１９】
１  プール昇降床
２  支柱装置
３  支柱
３Ａ  上端螺子部
４  支柱受座
６  支持板
７  支持軸
１０  支柱ホルダ
１１  環部
１２  平板部
１３  作動部
１４  支柱ハンドル係止部
【図１】
2009030297.tif 000003
【図２】
2009030297.tif 000004
【図３】
2009030297.tif 000005
【図４】
2009030297.tif 000006
【図５】
2009030297.tif 000007
【図６】
2009030297.tif 000008